(57)【要約】【課題】庫内空間の熱が縦補強フレームを通して外箱や自動販売機の外部に漏洩することを最小限に抑えることができる自動販売機を提供する。【解決手段】自動販売機本体６の外殻をなす外箱１３と、この外箱１３内に設けられた断熱庫８と、外箱１３の側面部１３ａの内面における前面開口部１５側の箇所において上下に延びる状態で配設された縦補強フレーム２１と、庫内空間Ｓを密閉するガスケット２２と、を備えた自動販売機１であって、外箱１３の側面部内面側から自動販売機本体６の幅方向内側に突出する縦補強フレーム２１の内側突出部２１ｃの全てを、庫内空間Ｓよりも前方に配設している。【選択図】図３
2015118419.tif 000002
【特許請求の範囲】
【請求項１】
前面開口部が外扉により開閉される自動販売機本体の外殻をなす外箱と、
この外箱内に設けられ、断熱性を有する内扉により庫内空間が開閉可能とされた断熱性を有する断熱庫と、
前記外箱の側面部内面における前記前面開口部側箇所において上下に延びる状態で配設された縦補強フレームと、
庫内空間を密閉するガスケットと、
を備えた自動販売機であって、
前記外箱の側面部内面側から自動販売機本体の幅方向内側に突出する前記縦補強フレームの内側突出部の全てを、庫内空間よりも前方に配設していることを特徴とする自動販売機。
【請求項２】
断熱庫の側面部を、この側面部の前端面が、閉鎖状態の内扉の内面に対して前後方向に同じ位置または前方の位置になるように配設したことを特徴とする請求項１に記載の自動販売機。
【請求項３】
前記縦補強フレームの後部を、断熱庫の側面部の外側に配設したことを特徴とする請求項１または２に記載の自動販売機。
【請求項４】
自動販売機本体と内扉との間の隙間をシールするガスケットを自動販売機本体側に取り付け、ガスケットに、断熱庫の側面部の前端面と前端部内面とに沿って配設される舌片部をそれぞれ形成したことを特徴とする請求項１〜３の何れか１項に記載の自動販売機。
【請求項５】
自動販売機本体と内扉との間の隙間をシールするガスケットを内扉側に取り付けたことを特徴とする請求項１〜３の何れか１項に記載の自動販売機。
【発明の詳細な説明】
【技術分野】
【０００１】
本発明は自動販売機、特に自動販売機における外箱の側面部内面に配設された縦補強フレームおよびこの近傍箇所の構造に関する。
【背景技術】
【０００２】
商品を加温または冷却した状態、すなわち調温状態で販売する自動販売機は広く知られている。この種の自動販売機においては、自動販売機本体の外殻をなす外箱（金属製）の内部に、箱型形状で断熱構造の断熱庫が配設され、この断熱庫の内部である庫内空間に商品を収納している。断熱庫は、この断熱庫の前面に形成された開口部を、断熱性を有する内扉によって開閉できるよう構成されている。また、自動販売機本体（外箱）の前面に形成された前面開口部が、外扉（この外扉は断熱性を有しない）によって開閉可能とされている。
【０００３】
ここで、外箱の前面開口部の周りの内面（裏面）には剛性を高めるために補強部材が配設されており、その補強部材の１つとして、図６に示すように、外箱６０の側面部内面には、板金などにより構成された縦補強フレーム６１が上下に延びる状態で配設されている（特許文献１の図６等）。なお、縦補強フレーム６１には、内扉６２を閉めた際に、内扉６２とこの縦補強フレーム６１（自動販売機本体の外箱６０側）との間の隙間をシールするガスケット６３が取り付けられている。
【０００４】
ここで、図６における６４は断熱庫を構成する断熱体（断熱材）、６１ａは、縦補強フレーム６１の後端部に形成され、外箱６０の側面部内面側から内側（自動販売機本体の幅方向内側）に突出する縦補強フレーム６１の後端突出部である。この縦補強フレーム６１の後端突出部６１ａは、断熱庫の側面部を構成する断熱体６４の内側位置まで延びた状態で配設されている。また、６５は、ガスケット６３を縦補強フレーム６１に取り付けるためのガスケット支持材で、硬質の合成樹脂により製造されている。ガスケット支持材６５は、縦補強フレーム６１の後端突出部６１ａおよびこの後端突出部６１ａより前方の箇所に係止されている（詳しくは、縦補強フレーム６１における外箱６０の側面部内面に沿って固着されている部分から断熱体６４の前端面６４ａに沿って内側に延びる屈曲延長部６１ｂに係止されている）。ガスケット６３は、断熱体６４の前端面６４ａの前方位置に配設されており、ガスケット６３やガスケット支持材６５は、シール性能やガスケット６３の支持性能の良いものが用いられているため、断熱性能に対してはあまり高くないものが用いられる。また、図６におけるＳは、内扉６２によって閉鎖される庫内空間である。なお、特許文献１の図８や特許文献２の図６などにもこれと類似する構造が開示されている。
【０００５】
図７（ａ）、（ｂ）に示すように、特許文献３等にも、外箱７０の側面部内面に縦補強フレーム７１が固着された構造が開示されている。図７における７２は内扉、７３はガスケット、７３ａはガスケット７３のシール部７３ｂを支持する支持部、７４は断熱庫の側面部を構成する断熱体（断熱材）、Ｓは庫内空間である。図７に示すものにおいては、縦補強フレーム７１の後端において内側（自動販売機本体の幅方向内側）に延びる後端突出部７１ａが、断熱材７４の前端面の内側までは配設されていないが、断熱材７４の前端面に沿う姿勢で配設されている。
【先行技術文献】
【特許文献】
【０００６】
【特許文献１】特開２００４−１２７２３２号公報
【特許文献２】特開２００４−１８５５８７号公報
【特許文献３】特開２０１３−１４０５５１号公報
【発明の概要】
【発明が解決しようとする課題】
【０００７】
しかしながら、図６に示すような従来の構造では、板金よりなる縦補強フレーム６１に形成されている後端突出部６１ａが、ガスケット支持材６５では覆われてはいるものの、断熱性能はあまり高くないガスケット支持材６５を通して、庫内空間Ｓに臨むように配設されているため、庫内空間Ｓ内の熱が、ガスケット支持材６５を通して、縦補強フレーム６１の後端突出部６１ａから縦補強フレーム６１の前部側に伝達し、さらに金属製の外箱６０や自動販売機の外部に漏洩していた。
【０００８】
また、図７（ａ）に示すような従来構造では、縦補強フレーム７１の後端突出部７１ａが、内扉７２の後面７２ａ、すなわち、庫内空間Ｓの前端境界部よりも後方に位置しているため、庫内空間Ｓ内の熱が、断熱性能があまり高くないガスケット７３の支持部７３ａを通して、縦補強フレーム７１の後端突出部７１ａに伝達し、この熱が、さらに縦補強フレーム７１を通して金属製の外箱７０や自動販売機の外部に漏洩していた。
【０００９】
本発明は上記課題を解決するもので、庫内空間の熱が縦補強フレームを通して外箱や自動販売機の外部に漏洩することを最小限に抑えることができる自動販売機を提供することを目的とするものである。
【課題を解決するための手段】
【００１０】
上記課題を解決するために本発明は、前面開口部が外扉により開閉される自動販売機本体の外殻をなす外箱と、この外箱内に設けられ、断熱性を有する内扉により庫内空間が開閉可能とされた断熱性を有する断熱庫と、前記外箱の側面部内面における前記前面開口部側箇所において上下に延びる状態で配設された縦補強フレームと、庫内空間を密閉するガスケットと、を備えた自動販売機であって、前記外箱の側面部内面側から自動販売機本体の幅方向内側に突出する前記縦補強フレームの内側突出部の全てを、庫内空間よりも前方に配設していることを特徴とする。
【００１１】
この構成によれば、縦補強フレームの内側突出部が、庫内空間よりも前方、すなわち庫内空間には臨まない位置に配設されることとなるため、庫内空間の熱が、縦補強フレームの内側突出部から殆ど漏洩することがなくなり、ひいては庫内空間の熱が縦補強フレームを通して外箱や外部に漏洩することを最小限に抑えることができる。
【００１２】
また、本発明は、断熱庫の側面部を、この側面部の前端面が、閉鎖状態の内扉の内面に対して前後方向に同じ位置または前方の位置になるように配設したことを特徴とする。また、本発明は、前記縦補強フレームの後部を、断熱庫の側面部の外側に配設したことを特徴とする。
【００１３】
この構成により、縦補強フレームの内側には突出していない後部が、閉鎖状態の内扉の内面、すなわち庫内空間の前端境界部よりも後方に配設されている場合でも、この縦補強フレームの後部と庫内空間との間に断熱庫の側面部（すなわち断熱体）が配設されることとなるため、庫内空間の熱が縦補強フレームの後部を通して外箱や外部に漏洩することを防止できる。
【００１４】
また、本発明は、自動販売機本体と内扉との間の隙間をシールするガスケットを自動販売機本体側に取り付け、ガスケットに、断熱庫の側面部の前端面と前端部内面とに沿って配設される舌片部をそれぞれ形成したことを特徴とする。
【００１５】
この構成によれば、ガスケットに、断熱庫の側面部の前端面と前端部内面とに沿って配設される舌片部がそれぞれ形成されているため、この舌片部を介して、また、舌片部と断熱庫の前端部内面との間に空気層がある場合には、前記舌片部および空気層を介することにより、断熱性能をさらに向上させることができる。
【００１６】
なお、自動販売機本体と内扉との間の隙間をシールするガスケットを内扉側に取り付けてもよい。
【発明の効果】
【００１７】
本発明によれば、外箱の側面部内面側から自動販売機本体の幅方向内側に突出する前記縦補強フレームの内側突出部の全てを、庫内空間よりも前方に配設していることにより、縦補強フレームの内側突出部が、庫内空間（閉鎖状態の内扉の内面）よりも前方、すなわち庫内空間には臨まない位置に配設されることとなるため、庫内空間の熱が、縦補強フレームの内側突出部から殆ど漏洩することがなくなり、ひいては庫内空間の熱が縦補強フレームを通して外箱や外部に漏洩することを最小限に抑えることができ、極めて省エネルギー化された自動販売機を実現することができる。
【００１８】
また、本発明によれば、断熱庫の側面部を、この断熱材の前端面が、閉鎖状態の内扉の内面に対して前後方向に同じ位置または前方の位置になるように配設したり、前記縦補強フレームの後部を、断熱庫の側面部の外側に配設したりすることにより、縦補強フレームの内側には突出していない後部が、閉鎖状態の内扉の内面、すなわち庫内空間の前端境界部よりも後方に配設されている場合でも、この縦補強フレームの後部と庫内空間との間に断熱庫（断熱体）が配設されることとなるため、庫内空間の熱が縦補強フレームの後部を通して外箱や外部に漏洩することを防止できる。
【００１９】
また、自動販売機本体と内扉との間の隙間をシールするガスケットを自動販売機本体側に取り付け、ガスケットに、断熱庫の側面部の前端面と前端部内面とに沿って配設される舌片部をそれぞれ形成したことにより、この舌片部を介して、また、舌片部と断熱庫の前端部内面との間に空気層がある場合には、この空気層を介することにより、庫内空間の熱が外部に漏洩する性能をさらに向上させることができ、さらに省エネルギー化を図ることができる。
【図面の簡単な説明】
【００２０】
【図１】本発明の実施の形態に係る自動販売機の側面断面図である。
【図２】同自動販売機の全体斜視図で、外扉および内扉を開けた状態を示す。
【図３】同自動販売機の要部平面断面図である。
【図４】同自動販売機の要部平面拡大断面図である。
【図５】（ａ）および（ｂ）はそれぞれ同本発明の他の実施の形態に係る自動販売機の側面断面図であり、（ａ）は内扉が閉じる直前の状態を示し、（ｂ）は内扉が閉じた状態を示す。
【図６】従来の自動販売機の要部拡大平面断面図である。
【図７】（ａ）は他の従来の自動販売機の要部拡大平面断面図、（ｂ）は同自動販売機の縦補強フレームの斜視図である。
【発明を実施するための形態】
【００２１】
以下、本発明の実施の形態に係る自動販売機を、図面に基づき説明する。なお、ここで示す実施の形態はあくまでも一例であって、必ずしもこの実施の形態に限定されるものではない。
【００２２】
図１、図２に示すように、この自動販売機１は、商品２を収納する商品収納搬送路３と、この商品収納搬送路３の下端の商品２を払い出す商品払出機構４とを備えた商品収納装置５が、自動販売機本体６内に配設されている。自動販売機１は、外扉（前面扉とも称せられる）７が、自動販売機本体６の前面開口部１５を開閉可能な状態で自動販売機本体６に支持されている。また、自動販売機本体６内には、商品収納装置５が左右方向に複数列収納されてなる断熱庫８が配設され、この断熱庫８も前面が開口されて、断熱庫８内の空間である庫内空間Ｓが前記開口部で、断熱性を有する内扉９により開閉自在とされている。そして、断熱庫８の内部は、上下および奥行方向（前後方向）に延びる断熱性を有する断熱仕切壁１０によって、左右に分割されて複数（この実施の形態では２つ）の断熱室１２（１２Ａ、１２Ｂ）が設けられている。
【００２３】
また、自動販売機本体２の内部における断熱庫８の下方には外気が自由に出入可能とされた機械室（いわゆる庫外空間）１１が設けられており、この機械室１１には冷媒圧縮機１４Ａや凝縮器１４Ｂ、換気ファンなどからなる冷凍サイクルの庫外側機器が備えられている。そして、この冷凍サイクルの動作によって各断熱室１２内に配設された蒸発器（庫内側機器）１４Ｃやヒータ（図示せず）などにより、各断熱室１２内の空気を冷却または加温して、各断熱室１２内の温度を調整するよう構成されている。
【００２４】
自動販売機本体６の外殻は、両側面、背面、天面、底面（すなわち前面を除く５つの面）の面状金属板を接合してなる外箱１３により構成されている。そして、この外箱１３の内部に、ウレタンフォームなどの断熱材の表面を樹脂製フィルムなどで覆うなどしてなる断熱体で構成された断熱庫８が設けられている。
【００２５】
図２〜図４に示すように、外箱１３の両側面部（左側面部と右側面部）１３ａの内面（裏面）における自動販売機本体６の前面開口部１５側の箇所には、それぞれ縦補強フレーム（第１の縦補強フレーム）２１が上下に延びる状態で配設され、外箱１３の両側面部１３ａの内面に接合されている。また、この実施の形態では、縦補強フレーム２１の後部寄り箇所に、自動販売機本体６（外箱１３）と内扉９との間をシールするガスケット２２を取り付けるためのガスケット固定用部材（第２の縦補強フレーム）２３も取り付けられている。
【００２６】
図３、図４に示すように、縦補強フレーム２１は、前部２１ａと後部２１ｂとが平板状とされて、外箱１３の両側面部１３ａの内面（裏面）に固着されている。一方、縦補強フレーム２１における前後方向の中央部が、外箱１３の側面部１３ａの内面側から自動販売機本体６の幅方向内側（幅方向中央側）に向けて平面視略コの字の断面形状に突出して（張り出して）おり、この突出した内側突出部２１ｃによって自動販売機本体６の側面部としての強度（剛性）を向上させている。
【００２７】
ガスケット固定用部材２３は、平面視して略Ｌ字の断面形状とされ、縦補強フレーム２１の後部２１ｂと内側突出部２１ｃの後面とに密着されて取り付けられている。ガスケット固定用部材２３には、上下方向に間隔をあけて複数箇所に取付用突起２３ａが後方に切り起こされた状態で形成され、この取付用突起２３ａに、ガスケット２２が係止された状態で取り付けられている。なお、この実施の形態では、ガスケット固定用部材２３が縦補強フレーム２１の後部２１ｂなどに固着されることにより、自動販売機本体６の側面部としての強度を若干であるが向上させており、第２の縦補強フレームとしての機能をも有する。
【００２８】
ガスケット２２は、ガスケット固定用部材２３の取付用突起２３ａに係合する被係合部２２ａと、この被係合部２２ａより自動販売機本体６の幅方向内側（幅方向中央側）に延びた箇所の端部から略後方に延びて断熱庫８の側面部の前端部内面８ａに沿って配設される第１舌片部２２ｂと、第１舌片部２２ｂの基部から自動販売機本体６の幅方向外側に延びて断熱庫８の側面部の前端面８ｂに沿って配設される第２舌片部２２ｃと、第１舌片部２２ｂの基部から前後方向にある程度の厚みを持った状態で自動販売機本体６の幅方向内側（幅方向中央側）に延びるとともに複数の閉鎖空間などを有して圧縮変形自在とされ、内扉９が閉じられた際に、内扉９の端部（左端部や右端部）に密接するシール部２２ｄとを有する。なお、この実施の形態では、シール部２２ｄや第１舌片部２２ｂの先端部は密着性能を向上させるために比較的軟質の樹脂などから構成される一方、ガスケット２２のその他の箇所は比較的硬質の樹脂などから構成されて、断熱庫８の側面部の前端部を確実に保持可能とされているとともに、シール部２２ｄを良好に支持しているが、これに限るものではない。
【００２９】
ここで特に、縦補強フレーム（第１の縦補強フレーム）２１は、外箱１３の側面部１３ａの内面側から自動販売機本体６の幅方向内側に突出する部分としては、縦補強フレーム２１の前後方向の中央部に設けられた内側突出部２１ｃしか形成されておらず、縦補強フレーム２１の後部には、自動販売機本体６の幅方向内側に突出する部分は設けられていない。また、第２の縦補強フレームとしても機能するガスケット固定用部材２３も、外箱１３の側面部内面側から自動販売機本体６の幅方向内側に突出する部分としては、縦補強フレーム２１の内側突出部２１ｃに沿う横延長部２３ｂしか形成されていない。そして、縦補強フレーム２１の内側突出部２１ｃおよびガスケット固定用部材２３の横延長部２３ｂは、庫内空間Ｓ、すなわち、閉鎖状態の内扉９の内面９ａよりも前方に配設されている。
【００３０】
そして、断熱庫８はその側面部が従来よりも前方まで延ばされ、断熱庫８の側面部の前端面８ｂが、閉鎖状態の内扉９の内面９ａ（すなわち、庫内空間Ｓの前端境界部）に対して前方の位置になるように配設している。また、縦補強フレーム（第１の縦補強フレーム）２１の後部２１ｂやガスケット固定用部材（第２の縦補強フレーム）２３の後部２３ｃは、断熱庫８の側面部前端の外側に配設されている。
【００３１】
また、ガスケット２２は、内扉９が閉鎖された状態では、内扉９の後部側角部に密接するように配設されており、この実施の形態では、さらに、ガスケット２２の第１舌片部２２ｂと断熱庫８の側面部の前端部内面８ａとの間、第１舌片部２２ｂと前端部内面８ａと第２舌片部２２ｃとの間、第２舌片部２２ｃとシール部２２ｄと縦補強フレーム２１との間に空気層（隙間）がある状態で配設されている。つまり、庫内空間Ｓと縦補強フレーム２１との間には、ガスケット２２と断熱庫８の側面部との空気層、およびガスケット２２と断熱庫８の側面部と縦補強フレーム２１との間の空気層が形成されるので、庫内空間Ｓの熱が縦補強フレーム２１に漏洩することをさらに抑制することができる。
【００３２】
この構成によれば、図３、図４に示すように、縦補強フレーム（第１の縦補強フレーム）２１の内側突出部２１ｃやガスケット固定用部材（第２の縦補強フレーム）２３の横延長部２３ｂ（すなわち、縦補強フレームの内側突出部の全て）が、庫内空間Ｓ（閉鎖状態の内扉９の内面９ａ）よりも前方、すなわち庫内空間Ｓには臨まない位置に配設される。したがって、庫内空間Ｓの熱が、縦補強フレーム（第１の縦補強フレーム）２１の内側突出部２１ｃやガスケット固定用部材（第２の縦補強フレーム）２３の横延長部２３ｂ（すなわち、縦補強フレーム２１の内側突出部２１ｃ）から殆ど漏洩することがなくなる。この結果、庫内空間Ｓの熱が縦補強フレーム２１を通して外箱１３や自動販売機１の外部に漏洩することを最小限に抑えることができ、極めて省エネルギー化された自動販売機１を実現することができる。
【００３３】
また、上記構成によれば、断熱庫８の側面部を、この側面部の前端面８ｂが、閉鎖状態の内扉９の内面９ａに対して前方の位置になるように配設しているため、庫内空間Ｓの両側部前端も含めた全体が、断熱庫８により良好に囲まれ、庫内空間Ｓの熱が外箱１３や自動販売機１の外部に漏洩することを最小限に抑えることができ、極めて省エネルギー化できる。
【００３４】
また、上記構成によれば、縦補強フレーム２１の後部２１ｂやガスケット固定用部材（第２の縦補強フレーム）２３の後部２３ｃは、断熱庫８の側面部の外側に配設されているため、庫内空間Ｓの熱が縦補強フレーム２１の後部２１ｂやガスケット固定用部材（第２の縦補強フレーム）２３の後部２３ｃを通して外箱１３や自動販売機１の外部に漏洩することを防止できる。
【００３５】
また、上記構成によれば、ガスケット２２の第１舌片部２２ｂが断熱庫８の側面部の前端部内面８ａとの間に空気層（隙間）がある状態で配設されているため、第１舌片部２２ｂおよび前記空気層を介して、庫内空間Ｓの熱が外部に漏洩することをさらに良好に防止できて、さらに省エネルギー化を図ることができる。
【００３６】
なお、上記実施の形態では、断熱庫８の側面部の前端面８ｂが、閉鎖状態の内扉９の内面９ａ（すなわち、庫内空間Ｓの前端境界部）に対して前方の位置になるように配設している場合を述べたが、これに限るものではなく、断熱庫８の側面部の前端面８ｂが、閉鎖状態の内扉９の内面９ａ（すなわち、庫内空間Ｓの前端境界部）に対して前後方向に同じ位置としてもよく、これによっても、庫内空間Ｓの前端境界部まで断熱庫８の側面部で側方から囲まれるので、庫内空間Ｓの熱が外部に漏洩することを最小限に抑えることができる。
【００３７】
また、上記実施の形態においては、自動販売機本体６と内扉９との間をシールするガスケット２２を自動販売機本体６側（この実施の形態では、ガスケット固定用部材２３に取り付けた場合を述べたが、これに限るものではなく、図５（ａ）、（ｂ）に示すように、前記実施の形態のガスケット２２のシール部２２ｄに相当する部分からなるガスケット２５を内扉９側に取り付けてもよい。なお、この場合には、断熱庫８の前端部を保持する第１舌片部２２ｂや第２舌片部２２ｃと、ガスケット２５とは別体とされ、縦補強フレーム２１の後部２１ｂと内側突出部２１ｃの後面とに密着されて取り付けられた固定用部材２３’に取り付けられた保持用部材２２’に、第１舌片部２２ｂや第２舌片部２２ｃや被係合部２２ａが形成されている。
【００３８】
この構成によっても、内扉９を閉鎖した際に、ガスケット２５、断熱庫８の側面部の前端部内面８ａ（あるいは断熱庫８の側面部の前端部内面８ａを覆う第１舌片部２２ｂ）、または断熱庫８の側面部の前端部内面８ａと縦補強フレーム２１の内側突出部２１ｃとの境界部に接触（当接）するように配設すれば、上記実施の形態と同様な作用効果を得ることができる。
【符号の説明】
【００３９】
１      自動販売機
６      自動販売機本体
７      外扉
８      断熱庫
９      内扉
１３    外箱
１５    前面開口部
２１    縦補強フレーム（第１の縦補強フレーム）
２２    ガスケット
２３    ガスケット固定用部材（第２の縦補強フレーム）
Ｓ      庫内空間
【図１】
2015118419.tif 000003
【図２】
2015118419.tif 000004
【図３】
2015118419.tif 000005
【図４】
2015118419.tif 000006
【図５】
2015118419.tif 000007
【図６】
2015118419.tif 000008
【図７】
2015118419.tif 000009